(57)【要約】【課題】ドキュメント処理装置の状態を通知するシステムおよび方法を提供する。【解決手段】先ず、装置状態通知がドキュメント処理装置から受信される。次に、予め定められている通知閾値に対応する閾値データが保存される。次いで、受信した装置状態通知の数に対応するカウント・データが保存される。次いで、保存されているカウント・データが閾値データと比較される。この比較の結果に基づいて、関連する管理者宛の通知メッセージが生成される。【選択図】図５
2009130930.tif 000002
【特許請求の範囲】
【請求項１】
ドキュメント処理装置のエラーに関する装置状態を監視し、前記エラーに関する装置状態の通知を受信する受信部と、
受信した前記装置状態の通知の数に対応するエラーの頻度を示すカウント・データを保存するカウント・データ保存部と、
前記カウント・データと比較される閾値データを保存する閾値データ保存部と、
前記カウント・データと前記閾値データとを比較する比較部と、
前記カウント・データが前記閾値データを超えると、関連する管理者宛の通知メッセージを生成する通知部と、
を備えるドキュメント処理装置の状態通知システム。
【請求項２】
前記通知メッセージは、前記ドキュメント処理装置を識別するデータと、受信した前記装置状態の通知によって表される装置状態に対応するデータとを含むことを特徴とする請求項１に記載のドキュメント処理装置の状態通知システム。
【請求項３】
前記装置状態の通知に関する重大性レベルを判断する判断部と、
前記重大性レベルが予め定められるレベルを満たすと、前記通知部に前記装置状態の通知に関する通知メッセージを生成して関連する管理者宛に送信させ、前記重大性レベルが予め定められるレベルを満たさないと、前記比較部に前記カウント・データと前記閾値データとを比較させる制御部と、
を備える請求項１に記載のドキュメント処理装置の状態通知システム。
【請求項４】
前記比較部が比較する前記カウント・データは、カウント・データ保存部から読み出したカウント・データを受信した前記装置状態の通知に応じて増加させた値である請求項１に記載のドキュメント処理装置の状態通知システム。
【請求項５】
前記通知部によって前記通知メッセージが生成された時点から所定の時間が経過したか否かを判断する経過時間判断部と、
前記装置状態の通知によって表される装置状態が修復されていないことを示し、かつ、前記経過時間判断部によって前記所定の時間が経過したと判断されたときに、第２の通知メッセージを生成する生成部と
を、さらに、有する請求項３に記載のドキュメント処理装置の状態通知システム。
【請求項６】
ドキュメント処理装置のエラーに関する装置状態を監視し、前記エラーに関する装置状態の通知を受信し、
前記装置状態の通知の数に対応するエラーの頻度を示すカウント・データとこのカウント・データと比較される閾値データとを比較し、
前記カウント・データが前記閾値データを超えると、関連する管理者宛の通知メッセージを生成するドキュメント処理装置の状態通知方法。
【請求項７】
前記装置状態の通知を受け取ると、この装置状態の通知に関する重大性レベルを判断し、
前記重大性レベルが予め定められるレベルを満たすと、前記装置状態の通知に関する通知メッセージを生成して関連する管理者宛に送信し、
前記重大性レベルが予め定められるレベルを満たさないと、前記カウント・データと前記閾値データとを比較する請求項６に記載のドキュメント処理装置の状態通知方法。
【請求項８】
比較する前記カウント・データは、前記装置状態の通知を受信する前のカウント・データを受信した前記装置状態の通知に応じて増加させた値である請求項６に記載のドキュメント処理装置の状態通知方法。
【請求項９】
前記通知メッセージが生成された時点から前記装置状態が修復されていない状態で前記所定の時間が経過したと判断されたときに、第２の通知メッセージを生成する請求項７に記載のドキュメント処理装置の状態通知方法。
【発明の詳細な説明】
【技術分野】
【０００１】
本発明は、ドキュメント処理装置の状態を通知するシステムおよび方法に関し、特にドキュメント処理装置の状態を閾値に基づいて通知するシステムおよび方法に関する。
【背景技術】
【０００２】
プリンタ、コピー機、ファクシミリ装置、および、これらの装置の機能を併せ持つ多機能周辺装置等のドキュメント処理装置は、通常、使用の間に状態が変化する。例えば、給紙トレイが除去または変更される場合があり、トナーの交換が必要となる場合があり、用紙切れが発生する場合があり、紙詰まりが発生する場合があり、あるいは保守のスケジューリングが必要となる場合がある。従来のシステムには、エラー信号を含む可能性がある状態の変化が認識された後に、ドキュメント処理装置の管理者に対する電子メール通知等の通知を実行するメカニズムを備えるものがある。
【０００３】
用紙の追加等によって一般ユーザが問題を容易に解決可能であるため、ドキュメント処理装置の多くのエラーは、管理者の手間を煩わせるものではない。その他の通知の場合も、重大なものも存在してはいるが、一般ユーザが対処可能である紙詰まり等のように、重大でないものも存在する。装置のトナー切れやインク切れ等のその他のエラーであって、修復操作が複雑である場合には、管理者による修復作業を必要とする場合がある。
【０００４】
関連がある可能性があるすべてのイベントについて管理者への通知を生成する通知システムは、通知の洪水によって管理者を即座に圧倒する問題点がある。この問題点は、管理者の監督下に多数のドキュメント処理装置が存在する企業の場合に、特に当てはまる。一方、比較的重大な問題に関する通知のみを生成するだけでは、個々には重大ではないエラーであっても、そのようなエラーが累積する結果、関連するドキュメント処理装置に重大な懸念が発生し得ることを解決することはできない問題点がある。一例として、個々の紙詰まりは、特段の懸念事項ではないが、ドキュメント処理装置が継続的に紙詰まりを起こしている場合には、ローラが損耗しているかまたは用紙搬送処理メカニズム内のなんからのその他の装置が不良であることを示している可能性がある。
【発明の開示】
【発明が解決しようとする課題】
【０００５】
本発明は、上記の従来の問題点に鑑みてなされたもので、ドキュメント処理装置の状態を通知するシステムおよび方法を提供することを目的とする。
【課題を解決するための手段】
【０００６】
本発明によるドキュメント処理装置の状態通知システムは、ドキュメント処理装置のエラーに関する装置状態を監視し、エラーに関する装置状態の通知を受信する受信部と、受信した装置状態の通知の数に対応するエラーの頻度を示すカウント・データを保存するカウント・データ保存部と、カウント・データと比較される閾値データを保存する閾値データ保存部とを備える。また、本システムは、カウント・データと閾値データとを比較する比較部と、カウント・データが前記閾値データを超えると、関連する管理者宛の通知メッセージを生成する通知部とを備える。
【０００７】
本発明の一実施形態においては、通知メッセージは、ドキュメント処理装置を識別するデータと、受信した装置状態の通知によって表される装置状態に対応するデータとを含む。
【０００８】
本発明の別の実施形態においては、本システムは、装置状態の通知に関する重大性レベルを判断する判断部と、重大性レベルが予め定められるレベルを満たすと通知部に装置状態の通知に関する通知メッセージを生成して関連する管理者へ送信させ、重大性レベルが予め定められるレベルを満たさないと比較部にカウント・データと閾値データとを比較させる制御部とを備える。
【０００９】
本発明の別の実施形態においては、比較部が比較するカウント・データは、カウント・データ保存部から読み出したカウント・データを受信した装置状態の通知に応じて増加させた値である。
【００１０】
本発明のさらなる実施形態においては、本システムは、通知部によって通知メッセージが生成された時点から所定の時間が経過したか否かを判断する経過時間判断部と、装置状態の通知によって表される装置状態が修復されていないことを示し、かつ、経過時間判断部によって所定の時間が経過したと判断されたときに、第２の通知メッセージを生成する生成部とを、さらに、有する。
【００１１】
また、本発明によるドキュメント処理装置の状態通知方法は、ドキュメント処理装置のエラーに関する装置状態を監視し、エラーに関する装置状態の通知を受信し、装置状態の通知の数に対応するエラーの頻度を示すカウント・データとこのカウント・データと比較される閾値データとを比較し、カウント・データが閾値データを超えると、関連する管理者宛の通知メッセージを生成する。
【発明の効果】
【００１２】
本発明によれば、ドキュメント処理装置の状態を通知するシステムおよび方法が提供される。
【発明を実施するための最良の形態】
【００１３】
以下、適宜、図面を参照しながら一例としての実施の形態の説明を行う。図１は本実施の形態におけるドキュメント処理装置の状態を通知するシステム全体の構成例である。システム１００は、コンピュータ・ネットワーク１０２として表されている分散コンピューティング環境を利用する。
【００１４】
コンピュータ・ネットワーク１０２は、複数の電子装置間におけるデータの交換を可能とする本技術分野で知られている任意の分散通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネット、またはそれらの任意の組み合わせを含む任意のコンピュータ・ネットワークである。
【００１５】
また、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。尚、上記のようにコンピュータ・ネットワーク１０２を示したが、これに限定されるものではなく、例えば、スタンドアローンの形態でも同様に実施可能である。
【００１６】
また、システム１００は、ドキュメント処理装置（画像形成装置）１０４を有する。ドキュメント処理装置１０４には、例えば、様々なドキュメント処理を実行するために適切な多機能周辺装置（Multi-Function Peripheral；ＭＦＰ）を用いることができる。なお、ＭＦＰはドキュメント処理装置の一形態であって、本発明におけるドキュメント処理装置がＭＦＰに限定されるものではない。ＭＦＰはドキュメント処理装置の一形態であって、本発明におけるドキュメント処理装置がＭＦＰに限定されるものではない。
【００１７】
ドキュメント処理装置１０４は、例えば、ファクシミリ通信、画像走査、コピー、印刷、電子メール、ドキュメント管理、ドキュメント保存等の処理を行う。また、例えば、ドキュメント処理装置１０４は、ドキュメント処理サービスを外部装置、あるいはネットワーク装置に対して提供する。ドキュメント処理装置１０４は、ユーザあるいはネットワークに接続された装置等とやり取りするように構成された、ハードウェア、ソフトウェアおよびこれらの任意の適切な組み合わせを含む。
【００１８】
また、ドキュメント処理装置１０４は、例えば、IEEE 1394あるいはＵＳＢインターフェイスを有する各種ドライブ、多様なＩＣメモリカード等の、複数のポータブル記憶媒体を受け入れるためのインターフェイスを備える。また、ドキュメント処理装置１０４は、例えば、タッチ・スクリーン、ＬＣＤ、タッチ・パネル、英数字キーパッド等のユーザ・インターフェイス１０６を備える。ユーザは、ユーザ・インターフェイス１０６を介して、対応するドキュメント処理装置１０４と直接やり取りすることができる。
【００１９】
本発明の好適な実施形態によれば、ユーザ・インターフェイス１０６は、ユーザに対して情報を伝達するとともに、ユーザから選択結果を受け取るために、有効に利用される。ユーザ・インターフェイス１０６は、ユーザにデータを提示するための種々のコンポーネントから構成される。本発明による一実施形態においては、ユーザ・インターフェイス１０６は、１または複数のグラフィック要素、テキスト・データまたは画像等をユーザに表示し、ユーザからの入力を受け取り、受け取った入力を後述するコントローラ１０８等のバックエンド・コンポーネントに送るように適応されたディスプレイを有する。
【００２０】
また、ドキュメント処理装置１０４は、適切な通信リンク１１２を介して、コンピュータ・ネットワーク１０２に通信可能に接続される。通信リンク１１２には、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続や、その他の適切な有線または無線のデータ通信チャネルを用いることができる。
【００２１】
また、ドキュメント処理装置１０４は、ドキュメント処理装置による処理動作を容易にする適切なバックエンド・コンポーネントとして、コントローラ１０８を有する。
【００２２】
コントローラ１０８は、ドキュメント処理装置１０４の動作の制御、あるいはユーザ・インターフェイス１０６による画像の表示、あるいは、電子画像データの操作指示等の処理を容易にするように構成されたハードウェア、ソフトウェア、あるいはこれらの適切な組み合わせによって実装される。以下の説明において、ドキュメント処理装置１０４と関連する任意の多数のコンポーネントは、後述する動作を実行し、もしくは実行させ、もしくは制御し、またはその他の方法で指示するように機能するハードウェアのコントローラ、ソフトウェア、またはこれらの組み合わせを含むものとする。なお、図および上記の説明において、コントローラ１０８は、ドキュメント処理装置１０４に内蔵される形態としたが、これに限定されるものではなく、コントローラ１０８は、ドキュメント処理装置１０４に通信可能に接続された外部装置の形態であってもよい。コントローラ１０８との関連において説明を行う動作は、本技術分野において知られている任意の汎用コンピューティング・システムによって実行可能である。したがって、コントローラ１０８は、このような汎用的なコンピューティング装置を表しており、以下の説明において使用する際にも、そのように意図されている。また、以下の説明においてはコントローラ１０８を使用しているが、これは実施形態の例にすぎず、その他の実施形態においても、本発明によるドキュメント処理装置の状態を通知するおよび方法を利用することができる。コントローラ１０８の構成等については、後ほど図２と図３を参照しながら説明を行う。
【００２３】
また、ドキュメント処理装置１０４にはデータ記憶装置１１０が通信可能に接続される。データ記憶装置１１０は、例えば、ハードディスク・ドライブ、その他の磁気記憶装置、光学式記憶装置、フラッシュ・メモリ、またはそれらの任意の組み合わせを含む記憶装置である。データ記憶装置１１０は、ドキュメント・データ、画像データ、電子データベースのデータ等を適切に保存する。データ記憶装置１１０は、システム１００において独立したコンポーネントとして図１に例示されているが、例えば、内蔵ハードディスク・ドライブ等のような、ドキュメント処理装置１０４の内部記憶装置、あるいはコントローラ１０８に実装される記憶装置あるいはコンポーネントであってもよい。
【００２４】
システム１００は、さらに、通信リンク１１６を介してコンピュータ・ネットワーク１０２とデータ通信可能な管理装置１１４を有する。管理装置１１４は、例えば、ノート形パーソナル・コンピュータ、コンピュータ・ワークステーション、デスクトップ形パーソナル・コンピュータ、ＰＤＡ（Personal Digital Assistant、携帯情報端末）、ウェブ適合携帯電話、スマート・フォン、専用ネットワーク用の電子装置、またはその他のウェブ適合電子装置を含む本技術分野において知られている任意のパーソナル・コンピューティング装置を用いることができる。また、通信リンク１１６は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または、その他の適切な無線または有線のデータ通信チャネルを用いることができる。
【００２５】
管理装置１１４は、ドキュメント処理インストラクションを生成および送信し、状態警報および装置通知、ユーザ・インターフェイスの修正、アップグレード、更新、またはパーソナル化データ等をドキュメント処理装置１０４またはコンピュータ・ネットワーク１０２に接続された任意のその他の類似の装置に送受信する。管理装置１１４の構成等は、後ほど図４を参照しながら説明する。
【００２６】
図１に示されているシステム１００は、通信リンク１２０を介してコンピュータ・ネットワーク１０２とデータ通信可能な携帯形装置１１８を、さらに、有する。図において、携帯形装置１１８をスマート・フォンとして示しているが、これは、例示に過ぎない。携帯形装置１１８は、例えば、ノート形パーソナル・コンピュータ、ＰＤＡ、ウェブ適合携帯電話、専用ネットワーク用の電子装置、またはその他の携帯形ウェブ適合電子装置を含む本技術分野において知られている任意の携帯形パーソナル・コンピューティング装置を用いることができる。また、通信リンク１２０は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または、その他の適切な無線または有線のデータ通信チャネルを用いることができる。携帯形装置１１８は、管理ユーザと関連付けられており、データ、装置状態情報、テキスト・メッセージ、電子メール・メッセージ、音声メッセージまたは警報等を、コンピュータ・ネットワーク１０２を介して、送受信する。
【００２７】
次に、一例として、図２は、システム１００の動作が実行されるバックエンド・コンポーネント、すなわち、図１においてはコントローラ１０８として示したコントローラ２００のハードウェア・アーキテクチャの構成図の一例である。尚、図２では、コントローラのコンポーネントの意義をより明確にするため、参照符号２３２で表した、コントローラ以外のドキュメント処理装置のコンポーネントの一部を併せて示す。コントローラ２００は、本明細書に記載する動作を円滑に実行する能力を有する、本技術分野において知られている任意の汎用的なコンピューティング装置を表す。コントローラ２００には、少なくとも一つのＣＰＵを含むプロセッサ２０２が含まれる。プロセッサ２０２は、互いに協調して動作する複数のＣＰＵから構成されることもある。また、コントローラ２００には、ＢＩＯＳ機能、システム機能、システム構成データおよびコントローラ２００の動作に使用する他のルーチンもしくはデータ等の静的または固定的なデータ、あるいはインストラクションのために有効に使用される、不揮発性または読出し専用メモリ（ＲＯＭ）２０４が含まれる。
【００２８】
また、コントローラ２００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ２０６が含まれている。ＲＡＭ２０６は、プロセッサ２０２により処理されるアプリケーションおよびデータ処理に関係するデータ・インストラクションのための記憶領域を提供する。
【００２９】
ストレージ・インターフェイス２０８は、コントローラ２００に関連するデータの不揮発性保存、大容量保存または長期的な保存のためのメカニズムを提供する。ストレージ・インターフェイス２０８は、参照符号２１６で示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００３０】
ネットワーク・インターフェイス・サブシステム２１０は、ネットワークとの間の入出力を適切にルーティングすることによって、コントローラ２００が他の装置と通信することを可能にする。ネットワーク・インターフェイス・サブシステム２１０は、装置２００に対する外部装置との一つまたは複数のコネクションのインターフェイスを適切にとる。例えば、図に示すように、Ethernet（登録商標）、トークン・リング等の固定または有線ネットワークとのデータ通信のための少なくとも一つのネットワーク・インターフェイス・カード２１４、およびWiFi（Wireless Fidelity）、WiMax、無線モデム、セルラ・ネットワークまたは適切な任意の無線通信システム等の手段を介した無線通信のために適切な無線インターフェイス２１８が接続される。また、ネットワーク・インターフェイス・サブシステム２１０は、任意の物理的データ転送レイヤあるいは物理的データ転送レイヤではないデータ転送レイヤまたはプロトコル・レイヤを適切に利用する。図に示すように、ネットワーク・インターフェイス・カード２１４は、例えば、ローカル・エリア・ネットワーク、ワイド・エリア・ネットワークまたはそれらの組合せから適切に構成される物理的ネットワーク２２０を介したデータ交換を行うために、相互接続される。
【００３１】
プロセッサ２０２、読出し専用メモリ（ＲＯＭ）２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００３２】
また、ドキュメント・プロセッサ・インターフェイス２２２もバス２１２を介してデータ通信を行う。ドキュメント・プロセッサ・インターフェイス２２２は、様々なドキュメント処理動作を実行するために、ドキュメント処理ハードウェア２３２との接続を提供する。そのようなドキュメント処理動作には、コピー・ハードウェア２２４によって実行されるコピー、画像走査ハードウェア２２６によって実行される画像走査、印刷ハードウェア２２８によって実行される印刷、およびファクシミリ・ハードウェア２３０によって実行されるファクシミリ通信がある。コントローラ２００は、これらのドキュメント処理動作のいずれかまたは全部を適切に動作させる。複数のドキュメント処理動作を実行可能なシステムは、前述したように、ＭＦＰまたは多機能装置と呼ばれる。システム１００の機能は、ドキュメント処理装置と関連するインテリジェント・サブシステムとして図２に示したコントローラ２００（図１においてはコントローラ１０８として示されている。）を含む、ドキュメント処理装置１０４等のドキュメント処理装置において実行される。
【００３３】
次に、一例として、システム１００の動作が実行されるコントローラの機能ブロックと動作の概要を説明する。図３において、ソフトウェアおよびオペレーティング・システム機能と関連して、図２に示したハードウェアの機能性を例示する。尚、図３においても、コントローラの機能要素の意義をより明確にするため、コントローラ以外のドキュメント処理装置の機能要素の一部を併せて示している。
【００３４】
図３に示すように、コントローラの機能は、ドキュメント処理エンジン３０２を有する。ドキュメント処理エンジン３０２は、印刷動作、コピー動作、ファクシミリ通信動作および画像走査動作を可能にする。これらの機能は、産業界において一般に好まれるドキュメント処理周辺装置であるＭＦＰと関連付けられることが多い。しかし、コントローラが上記のドキュメント処理動作のすべてを可能にする必要は必ずしもない。コントローラは、上記のドキュメント処理動作のサブセットである、専用のドキュメント処理装置、あるいはより限定した目的のドキュメント処理装置においても有効に用いられる。
【００３５】
ドキュメント処理エンジン３０２はユーザ・インターフェイス・パネル３１０と適切にインターフェイスされており、ユーザまたは管理者は、このユーザ・インターフェイス・パネル３１０を介して、ドキュメント処理エンジン３０２によって制御される機能にアクセスすることができる。アクセスは、コントローラにローカル接続されたインターフェイスを介して行われるか、遠隔のシン・クライアント（thin client）またはシック・クライアント（thick client）によって遠隔から行われる。
【００３６】
ドキュメント処理エンジン３０２は、印刷機能部３０４、ファクシミリ通信機能部３０６および画像走査機能部３０８とデータ通信を行う。これらの機能部は、印刷、ファクシミリの送受信、およびドキュメント画像をコピーのために取得するか、またはドキュメント画像の電子バージョンを生成するための、ドキュメント画像走査の実際の処理動作を容易にする。
【００３７】
ジョブ・キュー（job queue）３１２は、印刷機能部３０４、ファクシミリ通信機能部３０６および画像走査機能部３０８とデータ通信を行う。ビットマップ・フォーマット、ページ記述言語（ＰＤＬ）フォーマットまたはベクター・フォーマット等の種々の画像形式は、画像走査機能部３０８からジョブ・キュー３１２を介して後続の処理のために中継される。
【００３８】
ジョブ・キュー３１２は、また、ネットワーク・サービス機能部３１４ともデータ通信を行う。一実施形態において、ジョブ制御信号、状態データまたは電子ドキュメント・データが、ジョブ・キュー３１２とネットワーク・サービス機能部３１４との間で交換される。このように、クライアント側ネットワーク・サービス機能３２０を介したコントローラへのネットワーク・ベースのアクセスに適切なインターフェイスが提供され、このインターフェイスは任意の適切なシン・クライアントまたはシック・クライアントである。また、ウェブ・サービス・アクセスは、例えば、ハイパーテキスト転送プロトコル（HTTP）、ファイル転送プロトコル（FTP）、ユニフォーム・データ・ダイアグラム・プロトコルまたは他の任意の適切な交換メカニズムによって実行される。ネットワーク・サービス機能部３１４は、また、ＦＴＰ、電子メール、またはテルネット（TELNET）等による通信のために、クライアント側ネットワーク・サービス機能３２０とのデータ交換も有効に提供する。このように、コントローラ機能は、種々のネットワーク・アクセス・メカニズムによって、電子ドキュメントおよびユーザ情報のやり取りを容易にする。
【００３９】
ジョブ・キュー３１２は、また、画像プロセッサ３１６ともデータ通信を行う。画像プロセッサ３１６は、印刷機能部３０４、ファクシミリ通信機能部３０６または画像走査機能部３０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００４０】
さらに、ジョブ・キュー３１２はジョブ解析部（job parser）３１８とデータ通信を行い、このジョブ解析部３１８はクライアント装置サービス部３２２等の外部装置からの印刷ジョブ言語ファイルを受け取る働きをする。クライアント装置サービス部３２２は、電子ドキュメントの印刷、ファクシミリ通信、またはコントローラ機能による処理が有効である他の適切な電子ドキュメントの入力を含む。ジョブ解析部３１８は、受け取った電子ドキュメント・ファイルを解析し、前述した機能およびコンポーネントと関連する処理のために、解析した電子ドキュメント・ファイル情報をジョブ・キュー３１２に中継する働きをする。
【００４１】
次に、図１においては管理装置１１４として示した、管理装置のハードウェア構成を説明する。図４は、管理装置の一例としてのワークステーション４００のハードウェア・アーキテクチャの概略構成図である。
【００４２】
ワークステーション４００等の管理装置１１４は、不揮発性または読出し専用メモリ（ＲＯＭ）４０４、ＲＡＭ４０６、表示インターフェイス４０８、ストレージ・インターフェイス４１０、およびネットワーク・インターフェイス・サブシステム４１２とデータ通信可能に配置された、少なくとも一つのＣＰＵから構成されるプロセッサ４０２を有する。
【００４３】
プロセッサ４０２は、互いに協調して動作する複数のＣＰＵから構成されることもある。また、読出し専用メモリ（ＲＯＭ）４０４等の上述したモジュールへのインターフェイスは、バス４１４を介して、実行される。
【００４４】
読み出し専用メモリ（ＲＯＭ）４０４は、静的なデータやＢＩＯＳのような固定的なデータ等のファームウェア、システム機能、システム構成データ、およびプロセッサ４０２によってワークステーション４００の動作に使用される他のルーチンを保存する。
【００４５】
ＲＡＭ４０６は、プロセッサ４０２により処理されるアプリケーションおよびデータ処理に関係するデータとインストラクションのための記憶領域を提供する。
【００４６】
表示インターフェイス４０８は、バス４１４に接続された他のコンポーネントからデータまたはインストラクションを受け取る。表示インターフェイス４０８が受け取るデータは、ユーザ・インターフェイスに有用な表示に関するデータである。表示インターフェイス４０８は、例えば、モニタ、ＬＣＤ、プラズマ・ディスプレイまたは他の適切な視覚出力装置等のビデオ表示装置である表示モニタ４２８に出力を供給する。
【００４７】
ストレージ・インターフェイス４１０は、例えば、ワークステーション４００に関連するデータまたはインストラクションの不揮発性保存、大容量保存または長期的な保存のためのメカニズムを提供する。ストレージ・インターフェイス４１０は、参照符号４１８で示したディスク・ドライブ、テープ・ドライブ、あるいは光学式ドライブ等の適切な任意のアドレス指定可能、またはシリアル記憶装置等の記憶メカニズムを使用する。
【００４８】
ネットワーク・インターフェイス・サブシステム４１２は、例えば、ネットワーク・インターフェイス・カード４２０として図示した少なくとも１つのネットワーク・インターフェイスと、ＷｉＦｉ無線ネットワークカード等の無線インターフェイス４３０と通信を行う。ネットワーク・インターフェイス・サブシステム４１２は、物理レイヤとプロトコル・レイヤの両方から構成され、また、Ｅｔｈｅｒｎｅｔ（登録商標）、トークン・リング、他のワイド・エリア・ネットワークまたはローカル・エリア・ネットワーク通信システム等の任意の有線システム、あるいはWiFi、WiMax、または他の適切な無線ネットワーク通信システム等の無線システムを介して、ワークステーション４００が他の装置と通信することを可能にする。図においては、ネットワーク・インターフェイス・カード４２０は、例えば、ローカル・エリア・ネットワーク、ワイド・エリア・ネットワークまたはそれらの組合せから適切に構成される物理的ネットワーク４３２を介したデータ交換を行うために、相互接続されている。
【００４９】
バス４１４とデータ通信を行う入出力インターフェイス４１６は、例えばキーボード等の入力装置４２２と接続される。また、入出力インターフェイス４１６は、ＵＳＢインターフェイス、ＳＣＳＩインターフェイス、IEEE1394インターフェイス等の周辺装置インターフェイス４２４、あるいは特定の用途に適した任意の他のインターフェイスに、データ出力を提供する。さらに、入出力インターフェイス４１６は、マウス、ライト・ペン、またはタッチ・スクリーン等の装置と接続するために、ポインティング・デバイス・インターフェイス４２６とデータ通信を行う。
【００５０】
次に、本発明における動作の概要の一例を説明する。図５は、本実施の形態における基本的な動作の一例を示すフローチャートである。ドキュメント処理装置１０４と関連するコンポーネントは、後述する動作を実行する、もしくは実行させる、もしくは制御する、またはその他の方法で指示するように機能するハードウェアのコントローラ、ソフトウェア、またはこれらの組み合わせを含むものとする。
【００５１】
先ず、ステップＳ５０２で、例えば、図１に示したドキュメント処理装置１０４等の少なくとも１つのドキュメント処理装置から装置状態通知を受信する。本発明の一実施形態によれば、受信した装置状態通知は、ドキュメント処理装置１０４の機能および動作に関連したイベントまたはエラー等に対応する。装置状態通知は、複数のドキュメント処理装置から受信可能であり、１つのドキュメント処理装置１０４に関する説明は、例示を目的としたものに過ぎない。
【００５２】
ステップＳ５０４において、コントローラ１０８またはドキュメント処理装置１０４に関連する他の適切なコンポーネントは、予め選択された通知の閾値に対応する閾値データをデータ記憶装置１１０に保存する。通知の閾値は、例えば、イベントの継続時間またはイベントの頻度等を含む。次いでステップＳ５０６において、受信した装置状態通知の数に対応するカウント・データをデータ記憶装置１１０に保存する。次いでステップＳ５０８において、コントローラ１０８またはドキュメント処理装置１０４に関連する他の適切なコンポーネントは、保存されているカウント・データと保存されている閾値データとを比較する。カウント・データと閾値データの比較の結果にしたがって、ステップＳ５１０において、コントローラ１０８またはドキュメント処理装置１０４に関連する他の適切なコンポーネントは、関連する管理者に対する通知メッセージを生成する。
【００５３】
さらに、本発明における動作の一例について図６のフローチャートを用いて詳述する。先ず、ステップＳ６０２で、コントローラ１０８またはドキュメント処理装置１０４に関連する他の適切なコンポーネントは、装置管理コンポーネントを実行する。装置管理コンポーネントは、ハードウェアで実現されても良いし、ハードウェアとソフトウェアとで実現されても良いし、ソフトウェアとして実行されても良い。例えば、装置管理コンポーネントはコントローラ１０８であっても、あるいは、コントローラ１０８またはドキュメント処理装置１０４に関連する他の適切なコンポーネント内で実行されるとしても良い。本発明の一実施形態によれば、複数のドキュメント処理装置が装置管理コンポーネントを起動し、それによってドキュメント処理装置の機能および動作状態が監視される。尚、以降の説明においては、１つのドキュメント処理装置、例えば、図１のドキュメント処理装置１０４の監視および通知を参照するが、これは例示を目的としたものに過ぎず、複数のドキュメント処理装置の監視および通知が可能である。以下、一例として、コントローラ１０８内で装置管理コンポーネントが実行されるとして説明する。ステップＳ６０４において、コントローラ１０８は、例えば、ドキュメント処理装置１０４の機能および動作等の装置状態を監視する。本発明の例示的な一実施形態によれば、コントローラ１０８は、ドキュメント処理装置が依然として動作可能な状態に留まる消耗品エラーもしくは装置エラー、およびドキュメント処理装置が動作不能な状態である紙詰まりもしくは通信エラーまたは装置エラー等に関して、ドキュメント処理装置１０４の動作を監視する。この実施形態にしたがって、その他のエラー、イベントまたは出来事を監視することも可能である。
【００５４】
ステップＳ６０６で、コントローラ１０８によって、装置状態通知が受信されているか否かの判断が行われる。ステップＳ６０６において否定的な判断が行われた場合、すなわち装置状態通知が受信されていないと判断された場合には、処理はステップＳ６０４に戻り、コントローラ１０８は、装置状態通知が受信されるまでドキュメント処理装置１０４の状態の監視を継続する。ステップＳ６０６において装置状態通知が受信されていると判断された場合には、処理はステップＳ６０８に進み、受信した装置状態通知メッセージに関する重大性レベルが判定される。装置状態通知は、例えば、エラーの検出、ハードウェアの動作異常、紙詰まり、トナー切れ、用紙切れおよびソフトウェアの不良等を含む。例えば、警告の重大性レベルの装置状態通知は、例えば、トナー切れまたは用紙切れ等の、一般ユーザによって修復可能なエラーに対応し、非常に重要な重大性レベルの装置状態通知は、例えば、重度の紙詰まり、通信エラーまたはハードウェア障害等の、管理者または保守サービス・プロバイダによらなければ修復できないエラーに対応する。
【００５５】
受信した装置状態通知に関する重大性レベルの判定後、ステップＳ６１０において、予め定められた重大性レベルに対応し、保存されている重大性レベル・データがデータ記憶装置１１０からコントローラ１０８によって取得される。装置状態通知に関する判定された重大性レベルを予め定められた重大性レベルと、ステップＳ６１２において、比較する。次いでステップＳ６１４において、受信した装置状態通知から判定された重大性レベルが予め定められた重大性レベルを満たしている、すなわち一致しているか、または超えているか否かの判断が行われる。すなわち、装置状態通知に関する重大性が、非常に重要なレベルの重大なエラーであるのか、一般ユーザによって修復可能な警告レベルのエラーであるのかに関する判断が行われる。
【００５６】
受信した装置状態通知から判定された重大性レベルが予め定められた重大性レベルを満たしていないとステップＳ６１４において判断された場合には、処理はステップＳ６１６に進む。ステップＳ６１６において、コントローラ１０８は、一定の期間に受信した装置状態通知の数に対応するカウント・データをデータ記憶装置１１０から取得する。データ記憶装置１１０に保存されているカウント・データは、例えば一定の時間にわたる用紙切れ等のエラーの継続時間、または、例えば、装置は機能しているが重大ではない１つのサービスに反復的に障害が発生している等のエラーの頻度等に対応する。カウント・データを取得した後、ステップＳ６１８において、コントローラ１０８またはドキュメント処理装置１０４に関連する他の適切なコンポーネントは、受信した装置状態通知に応じてカウント・データをインクリメントする（例えば、カウント・データを１増加する）。例えば、カウント・データのインクリメントは、エラーの継続時間の延長または時間に伴うエラーの数の増大等に対応する。ステップＳ６２０において、コントローラ１０８は、データ記憶装置１１０に保存されている、例えば、所定のエラーの最大継続時間またはエラーの最大許容頻度等の、予め定められた閾値に対応する閾値データを取得する。本発明の一実施形態によれば、予め定められた閾値は、管理者、保守サービス・プロバイダ、またはその他の認可された関係者によって決定される。次いでステップＳ６２２において、インクリメントされたカウント・データが閾値データと比較される。次いでステップＳ６２４において、インクリメントされたカウント・データが閾値データを超えているか否かが判断され、その結果に応じて、通知メッセージを管理者に送信すべきか否かの判断が行われる。閾値を超えていないと判断された場合には、処理はステップＳ６０４に戻り、コントローラ１０８は、ドキュメント処理装置１０４の状態の監視を継続する。
【００５７】
受信した装置状態通知の結果、インクリメントされたカウント・データが閾値を超えているとステップＳ６２４において判断されると、処理は、ステップＳ６２６に進む。ステップＳ６２６において、コントローラ１０８は、受信した装置状態通知に対応した通知メッセージを生成する。通知メッセージは、例えば、装置識別データ、システム識別データ、ネットワーク・アドレス・データ、エラーのタイプ、カウント・データ、エラー検出の日付スタンプ、エラー検出の時刻スタンプ、エラーの簡単な説明、顧客連絡先データ、または以前に送信された通知が存在する場合にはその通知の数等を含む。また、エラー検出の日付スタンプ、エラー検出の時刻スタンプは、例えば、Ｓ６０４でカウント・データが閾値データを超えた時に対応する。次いでステップＳ６２８において、管理者に対する装置状態の通知に対応する通知命令が、データ記憶装置１１０から、コントローラ１０８によって取得される。本発明の特定の一実施形態によれば、通知命令は、例えば、通知の閾値、通知の受取り手（管理者、保守サービス・プロバイダ、技術者等）、通知のタイプ（電子メール、電話、テキスト・メッセージ、ユーザ・インターフェイス・ディスプレイ等）、再通知の閾値、再通知の受取り手、および再通知のタイプ等を含む。ステップＳ６３０において、コントローラ１０８は、取得した通知命令にしたがって、例えば、管理者等の指定された受取り手宛てに通知メッセージを伝達する。例えば、通知命令が電子メール通信を指示している場合には、例えば、携帯形データ装置１１８または管理装置１１６によって受信されるように、メッセージは管理者に関連する電子メール・アドレスに伝達される。別の例において、通知命令が音声通知を指示している場合には、例えば、音声メール・メッセージまたは電話による通話等の音声メッセージとして、メッセージが携帯形データ装置１１８に伝達される。
【００５８】
次いで、ステップＳ６３２において、コントローラ１０８は、例えば、装置状態通知の原因となったエラーまたはイベントが修復されたか否か等の、装置状態が修復されたか否かが判断される。コントローラ１０８は、エラーの修復を待ちながら、前述したように装置状態の監視を継続する。装置状態通知の原因となったエラーが修復されていないとステップＳ６３２において判断された場合には、処理はステップＳ６３４に進む。ステップＳ６３４においては、ステップＳ６３０における最初の通知メッセージを伝達した時点から、例えば、管理者によって設定された時間等の、予め定められた期間が経過したか否かが判断される。すなわち、通知メッセージを再送する時点か否かが判断される。通知メッセージを再送する時点ではないと判断されると、処理はステップＳ６３２に戻り、装置状態通知の原因となったエラーが修復されたか否かを判断する。ステップＳ６３４において、予め定められた期間が経過したと判断され、新たな通知メッセージが許可された場合には、処理はステップＳ６３６に進む。ステップＳ６３６において、１つまたは複数の以前の通知メッセージの詳細を含む、例えば、第２のメッセージ等の新たな通知メッセージが、コントローラ１０８によって生成される。次いでステップＳ６３８において、コントローラ１０８は、例えば、管理装置１１４または携帯形データ装置１１８等の通知命令で指定されている受取り手宛てに、新たな通知メッセージを伝達する。この後、処理動作はステップＳ６０４に戻り、前述したように装置状態の監視が継続して行われる。
【００５９】
ステップＳ６１４に戻り、受信した装置状態通知から判定された重大性レベルが、データ記憶装置１１０から取得された予め定められた重大性レベルに一致していると判断された場合には、処理はステップＳ６２６に進む。ステップＳ６２６において、コントローラ１０８は、受信した装置状態通知に対応する通知メッセージを生成する。次にステップＳ６２８において、コントローラ１０８によって、データ記憶装置１１０から通知命令が取得される。次いでステップＳ６３０において、生成された通知メッセージが、取得した通知命令にしたがって、指定された受取り手宛てに伝達される。次いで処理はステップＳ６３２に進み、装置状態通知の原因となったエラーが修復されたか否かの判断が行われる。エラーが修復されていると判断されると、処理動作は、先ほど説明したように、ステップＳ６０４におけるドキュメント処理装置１０４の監視に戻る。
【００６０】
装置状態通知の原因となったエラーが未だ修復されていないとステップＳ６３２において判断された場合には、処理はステップＳ６３４に進み、予め定められた期間が経過したか否か、すなわち、通知メッセージを管理者宛てに再送する時点であるか否かの判断が行われる。予め定められた時間が経過している場合には、処理はステップＳ６３６に進み、最初の通知メッセージについて前述した詳細事項と、以前に送信された通知メッセージの数に関する表示を含む、例えば、第２の通知メッセージ等の新たな通知メッセージが生成される。次いでステップＳ６３８において、新たな通知メッセージが、通知命令によって指定された１人または複数の受取り手宛てに伝達される。この後、処理はステップＳ６０４に戻り、前述したようにドキュメント処理装置１０４の動作が継続して監視される。
【００６１】
以上の説明から明らかなように、本発明によれば、ドキュメント処理装置の状態を通知するシステムおよび方法が提供される。また、上記の実施形態によれば、ドキュメント処理装置から装置状態通知を受信した後、その通知の重大性を判断して軽微なレベルの装置状態の通知を直ちに管理者宛に通知メッセージを伝達しないため、通知メッセージの数を抑えることができ、管理者の負担が軽減される。さらに、非常に重要な重大性レベルの装置状態のみならず、軽微なレベルの装置状態の通知が所定の数に達した場合にも、その旨の情報を含む管理者宛の通知メッセージを伝達することによって、摩耗故障等を予測することが可能となる。
【００６２】
本発明は、ソース・コード、オブジェクト・コード、部分的にコンパイルされた形のようなコード中間ソースおよびオブジェクト・コードの形、あるいは本発明の実施形態で使用するために適した任意の他の形のコンピュータ・プログラムをも含む。コンピュータ・プログラムは、スタンドアローンのアプリケーション、ソフトウェア・コンポーネント、スクリプトまたは他のアプリケーションへのプラグ・インとすることができる。本発明を実施するコンピュータ・プログラムは、例えば、ＲＯＭやＲＡＭ等の記憶媒体、ＣＤ−ＲＯＭ等の光記録媒体、フロッピー（登録商標）ディスク等の磁気記録媒体等の、コンピュータ・プログラムを伝達することができる任意の実体または装置である担体上で具体化することができ、あるいは電気ケーブルまたは光ケーブルによって、または無線や他の手段によって伝えられる電気信号や光信号等の任意の担体によって伝達することができる。コンピュータ・プログラムは、サーバからインターネットを介してダウンロードすることもできる。また、コンピュータ・プログラムの機能は集積回路に組み込むこともできる。説明を行った本発明の原理を実質的にコンピュータまたはプロセッサに実行させるコードを含む任意およびすべての実施形態は、本発明の範囲内にある。
【００６３】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。例えば、本発明による実施形態の説明に記したシステムおよび方法は、例えば、通信、汎用コンピューティング、データ処理等を含む、装置の管理監視を行う複数の様々な分野に対しても適用可能であり、本発明がドキュメント処理への適用に限定されるものではない。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる本発明の範囲内にある。
【図面の簡単な説明】
【００６４】
【図１】本発明による実施形態によるドキュメント処理装置の状態を通知するシステム全体の構成例である。
【図２】本発明による実施形態のシステムの動作が実行されるコントローラのハードウェアの構成例を説明するための図である。
【図３】本発明による実施形態のシステムの動作が実行されるコントローラの機能ブロックの構成例を説明するための図である。
【図４】本発明による実施形態のシステムの動作が実行される管理装置のハードウェアの構成例を説明するための図である。
【図５】本発明による実施形態におけるドキュメント処理装置の状態を通知する基本的な動作例を表すフローチャートである。
【図６】本発明による実施形態において、ドキュメント処理装置の状態を通知する動作例を詳細に表したフローチャートである。
【符号の説明】
【００６５】
１００  システム
１０２  コンピュータ・ネットワーク、分散通信システム
１０４  ドキュメント処理装置、画像形成装置、ＭＦＰ
１０６  ユーザ・インターフェイス
１０８  コントローラ
１１０  データ記憶装置
１１２、１１６、１２０  通信リンク
１１４  管理装置
１１８  携帯形装置
２００  コントローラ
２０２、４０２  プロセッサ
２０４、４０４  読み出し専用メモリ、ＲＯＭ
２０６、４０６  ＲＡＭ
２０８、４１０  ストレージ・インターフェイス
２１０、４１２  ネットワーク・インターフェイス・サブシステム
２１２、４１４  バス
２１４、４２０  ネットワーク・インターフェイス・カード
２１６、４１８  ディスク・ドライブ
２１８、４３０  無線インターフェイス
２２０、４３２  物理的ネットワーク
２２２  ドキュメント・プロセッサ・インターフェイス
２２４  コピー・ハードウェア
２２６  画像走査ハードウェア
２２８  印刷ハードウェア
２３０  ファクシミリ・ハードウェア
２３２  ドキュメント処理ハードウェア
３０２  ドキュメント処理エンジン
３０４  印刷機能部
３０６  ファクシミリ通信機能部
３０８  画像走査機能部
３１０  ユーザ・インターフェイス・パネル
３１２  ジョブ・キュー
３１４  ネットワーク・サービス機能部
３１６  画像プロセッサ
３１８  ジョブ解析部
３２０  クライアント側ネットワーク・サービス機能
４００  ワークステーション
４０８  表示インターフェイス
４１６  入出力インターフェイス
４２２  キーボード、入力装置
４２４  周辺装置インターフェイス
４２６  ポインティング・デバイス・インターフェイス
４２８  表示モニタ
【図１】
2009130930.tif 000003
【図２】
2009130930.tif 000004
【図３】
2009130930.tif 000005
【図４】
2009130930.tif 000006
【図５】
2009130930.tif 000007
【図６】
2009130930.tif 000008